(57)【要約】【課題】吸収性物品包装体を複数個保管する場合でも、どの包装体が開封済みであるかが分かり易くなる吸収性物品包装体を提供すること。【解決手段】複数の吸収性物品包装体（１０）と、梱包材（２）とを備えた吸収性物品集合体（１）であって、複数の吸収性物品包装体（１０）は、それぞれ、複数の吸収性物品（２０）と、袋部材（３０）と、シール部材（４０）とを有し、袋部材（３０）は、開口部（３１）を規定する開口規定部（３２）を有し、シール部材（４０）の一部分を、袋部材（３０）から分離することにより開口規定部（３２）が破断されて開口部（３１）が形成され、複数の吸収性物品包装体（１０）のうち、第１吸収性物品包装体（１０Ａ）において、シール部材（４０Ａ）の第１位置に、図柄（５１Ａ）が設けられ、第２吸収性物品包装体（１０Ｂ）において、シール部材（４０Ｂ）の前記第１位置とは異なる第２位置に、図柄（５１Ｂ）が設けられる。【選択図】図１
2020059544.tif 000002
【特許請求の範囲】
【請求項１】
複数の吸収性物品包装体と、前記複数の吸収性物品包装体を梱包する梱包材とを備えた吸収性物品集合体であって、
前記複数の吸収性物品包装体は、それぞれ、複数の吸収性物品と、前記複数の吸収性物品を収容する袋部材と、少なくとも一部分が前記袋部材から分離可能に設けられたシール部材を有し、
前記袋部材は、開口部を規定する開口規定部を有し、
前記シール部材は、前記開口規定部を覆っており、
前記シール部材の前記一部分を、前記袋部材から分離することにより前記開口規定部が破断されて前記開口部が形成されるように構成されており、
前記複数の吸収性物品包装体は、第１吸収性物品包装体と第２吸収性物品包装体を有し、
前記第１吸収性物品包装体において、前記シール部材の第１位置に、図柄が設けられており、
前記第２吸収性物品包装体において、前記シール部材の、前記第１位置とは異なる第２位置に、前記図柄が設けられていることを特徴とする吸収性物品集合体。
【請求項２】
複数の吸収性物品包装体と、前記複数の吸収性物品包装体を梱包する梱包材とを備えた吸収性物品集合体であって、
前記複数の吸収性物品包装体は、それぞれ、複数の吸収性物品と、前記複数の吸収性物品を収容する袋部材と、少なくとも一部分が前記袋部材から分離可能に設けられたシール部材を有し、
前記袋部材は、開口部を規定する開口規定部を有し、
前記シール部材は、前記開口規定部を覆っており、
前記シール部材の前記一部分を、前記袋部材から分離することにより前記開口規定部が破断されて前記開口部が形成されるように構成されており、
前記複数の吸収性物品包装体は、第１吸収性物品包装体と第２吸収性物品包装体を有し、
前記第１吸収性物品包装体は、生物若しくはキャラクターの図柄を有し、
前記第２吸収性物品包装体は、前記生物若しくは前記キャラクターと同じ形態且つ異なる色の図柄、又は、前記生物若しくは前記キャラクターの異なる形態の図柄を有していることを特徴とする吸収性物品集合体。
【請求項３】
請求項１に記載の吸収性物品集合体であって、
前記第１吸収性物品包装体の前記シール部材及び前記第２吸収性物品包装体の前記シール部材の所定位置には、それぞれ前記図柄と異なる共通図柄が設けられている
ことを特徴とする吸収性物品集合体。
【請求項４】
請求項３に記載の吸収性物品集合体であって、
前記吸収性物品包装体は、互いに交差する上下方向と前後方向とを有し、
前記図柄は、前記吸収性物品包装体の上面となる部分に設けられ、
前記共通図柄は、前記吸収性物品包装体の前面となる部分に設けられている
ことを特徴とする吸収性物品集合体。
【請求項５】
請求項２に記載の吸収性物品集合体であって、
前記第１吸収性物品包装体に設けられる図柄を第１図柄とし、前記第２吸収性物品包装体に設けられる図柄を第２図柄とすると、
前記第１吸収性物品包装体の前記シール部材及び前記第２吸収性物品包装体の前記シール部材の所定位置には、それぞれ前記第１図柄及び前記第２図柄とは異なる共通図柄が設けられている
ことを特徴とする吸収性物品集合体。
【請求項６】
請求項５に記載の吸収性物品集合体であって、
前記吸収性物品包装体は、互いに交差する上下方向と前後方向とを有し、
前記第１図柄及び前記第２図柄は、それぞれ、前記吸収性物品包装体の上面と前面との境界を跨ぐように設けられている
ことを特徴とする吸収性物品集合体。
【請求項７】
請求項３から請求項６のいずれか１項に記載の吸収性物品集合体であって、
前記開口部を形成した後に、前記吸収性物品包装体は、前記シール部材によって前記開口部を再封止可能であり、
前記吸収性物品包装体は、前記袋部材に本体図柄が設けられており、
前記共通図柄は、前記本体図柄と共に一つの図柄を構成する
ことを特徴とする吸収性物品集合体。
【請求項８】
請求項７に記載の吸収性物品包装体であって、
前記開口部を形成した後に前記開口部を再封止する場合、前記シール部材は、前記共通図柄と前記本体図柄とが一つの図柄を構成しないように再封止可能である
ことを特徴とする吸収性物品集合体。
【請求項９】
請求項７又は８に記載の吸収性物品集合体であって、
前記共通図柄と前記本体図柄の境界には、所定の幅の境界線が設けられている
ことを特徴とする吸収性物品集合体。
【請求項１０】
請求項９に記載の吸収性物品集合体であって、
前記シール部材の表面の外縁には縁取り部が設けられ、
前記境界線は、前記縁取り部の一部である
ことを特徴とする吸収性物品集合体。
【請求項１１】
複数の吸収性物品包装体が、梱包材に梱包された吸収性物品集合体を製造する方法であって、
前記複数の吸収性物品包装体は、それぞれ、複数の吸収性物品と、前記複数の吸収性物品を収容する袋部材と、少なくとも一部分が前記袋部材から分離可能に設けられたシール部材を有し、
前記袋部材は、開口部を規定する開口規定部を有し、
前記シール部材は、前記開口規定部を覆っており、
前記シール部材の前記一部分を、前記袋部材から分離することにより前記開口規定部が破断されて前記開口部が形成されるように構成されており、
前記複数の吸収性物品包装体のうちの第１吸収性物品包装体の前記シール部材の第１位置に図柄を形成し、前記複数の吸収性物品包装体のうちの第２吸収性物品包装体の前記シール部材の、前記第１位置とは異なる第２位置に前記図柄を形成する、図柄形成工程を有する
ことを特徴とする吸収性物品集合体を製造する方法。
【発明の詳細な説明】
【技術分野】
【０００１】
本発明は、吸収性物品集合体及び吸収性物品集合体を製造する方法に関する。
【背景技術】
【０００２】
生理用ナプキン等の吸収性物品が複数内包されている吸収性物品包装体として、特許文献１には、ナプキンを取り出すための開口部と、開口部を覆うように設けられたラベルテープとを有し、ラベルテープによって開口部を再封止できる包装体が開示されている。
【先行技術文献】
【特許文献】
【０００３】
【特許文献１】中国実用新案公告第２４８１３１２号明細書
【発明の概要】
【発明が解決しようとする課題】
【０００４】
生理用ナプキン等の吸収性物品が複数内包されている吸収性物品包装体を使用者が店舗やインターネットショッピングサイト等を通じて購入する際、吸収性物品包装体は、一度に複数個まとめて購入されることも多い。一般に家庭では、購入した複数の吸収性物品包装体が再封止可能な吸収性物品包装体であった場合、トイレやクローゼット等の棚にまとめて保管していると、再封止することで清潔感が保たれる一方、どの包装体が開封済み或いは未開封であるかの見分けがつきにくいことがあった。
【０００５】
本発明は、上記のような従来の問題に鑑みてなされたものであって、その目的は、吸収性物品包装体を複数個保管する場合、どの包装体が開封済みであるかが分かり易くなる吸収性物品包装体を提供することにある。
【課題を解決するための手段】
【０００６】
上記目的を達成するための主たる発明は、複数の吸収性物品包装体と、前記複数の吸収性物品包装体を梱包する梱包材とを備えた吸収性物品集合体であって、前記複数の吸収性物品包装体は、それぞれ、複数の吸収性物品と、前記複数の吸収性物品を収容する袋部材と、少なくとも一部分が前記袋部材から分離可能に設けられたシール部材を有し、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記複数の吸収性物品包装体は、第１吸収性物品包装体と第２吸収性物品包装体を有し、前記第１吸収性物品包装体において、前記シール部材の第１位置に、図柄が設けられており、前記第２吸収性物品包装体において、前記シール部材の、前記第１位置とは異なる第２位置に、前記図柄が設けられていることを特徴とする吸収性物品集合体である。
本発明の他の特徴については、本明細書及び添付図面の記載により明らかにする。
【発明の効果】
【０００７】
本発明によれば、吸収性物品包装体を複数個保管している場合でも、各吸収性物品包装体のシール部材においてそれぞれ異なる位置に配置された図柄を参照することにより、どの包装体が開封済みであるかが分かり易くなる吸収性物品包装体を提供できる。
【図面の簡単な説明】
【０００８】
【図１】図１は、第１実施形態に係る吸収性物品集合体１の概略斜視図である。
【図２Ａ】図２Ａは、第１実施形態に係る吸収性物品包装体１０の概略斜視図であり。
【図２Ｂ】図２Ｂは、第１実施形態に係る吸収性物品包装体１０を開封した状態の図である。
【図３】図３は、第１実施形態に係る吸収性物品２０の斜視図である。
【図４】図４は、図２Ａの吸収性物品包装体１０について、シール部材４０を透視した状態について表す概略斜視図である。
【図５】図５Ａは、第１実施形態に係るシール部材４０Ａの図柄５１Ａを説明する図であり、図５Ｂは、第１実施形態に係るシール部材４０Ｂの図柄５１Ｂを説明する図である。
【図６】図６は、引き出しに収納されている、第１実施形態に係る複数の吸収性物品包袋体１０Ａ〜１０Ｅを示す図である。
【図７】図７は、第１実施形態に係る吸収性物品包装体１０のシール部材４０を異なる位置に留めた状態の一例を説明する図である。
【図８】図８は、第２実施形態に係る吸収性物品集合体１の概略斜視図である。
【図９】図９は、第２実施形態に係る吸収性物品包装体１０の概略斜視図である。
【図１０】図１０Ａは、第２実施形態に係るシール部材４０Ａの図柄５２Ａを説明する図であり、図１０Ｂは、第２実施形態に係るシール部材４０Ｂの図柄５２Ｂを説明する図である。
【図１１】図１１は、引き出しに収納されている、第２実施形態に係る複数の吸収性物品包袋体１０Ａ〜１０Ｅを示す図である。
【発明を実施するための形態】
【０００９】
本明細書及び添付図面の記載により、少なくとも以下の事項が明らかとなる。
複数の吸収性物品包装体と、前記複数の吸収性物品包装体を梱包する梱包材とを備えた吸収性物品集合体であって、前記複数の吸収性物品包装体は、それぞれ、複数の吸収性物品と、前記複数の吸収性物品を収容する袋部材と、少なくとも一部分が前記袋部材から分離可能に設けられたシール部材を有し、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記複数の吸収性物品包装体は、第１吸収性物品包装体と第２吸収性物品包装体を有し、前記第１吸収性物品包装体において、前記シール部材の第１位置に、図柄が設けられており、前記第２吸収性物品包装体において、前記シール部材の、前記第１位置とは異なる第２位置に、前記図柄が設けられていることを特徴とする吸収性物品集合体である。
【００１０】
このような吸収性物品集合体によれば、吸収性物品包装体に設けられたシール部材によって包装体を開封後に再封止でき、さらに、吸収性物品包装体を複数個保管している場合でも、各シール部材の異なる位置に配置された図柄を参照することによって、どの包装体が開封済みであるかが分かり易くなる。
【００１１】
また、複数の吸収性物品包装体と、前記複数の吸収性物品包装体を梱包する梱包材とを備えた吸収性物品集合体であって、前記複数の吸収性物品包装体は、それぞれ、複数の吸収性物品と、前記複数の吸収性物品を収容する袋部材と、少なくとも一部分が前記袋部材から分離可能に設けられたシール部材を有し、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記複数の吸収性物品包装体は、第１吸収性物品包装体と第２吸収性物品包装体を有し、前記第１吸収性物品包装体は、生物若しくはキャラクターの図柄を有し、前記第２吸収性物品包装体は、前記生物若しくは前記キャラクターと同じ形態且つ異なる色の図柄、又は、前記生物若しくは前記キャラクターの異なる形態の図柄を有していることを特徴とする吸収性物品集合体である。
【００１２】
このような吸収性物品集合体によれば、吸収性物品包装体に設けられたシール部材により包装体を開封後に再封止でき、さらに、吸収性物品包装体を複数個保管している場合でも、シール部材に設けられた生物若しくはキャラクターの図柄、又はその色違いの図柄、若しくはその異なる形態の図柄を参照することによって、どの包装体が開封済みであるかが分かり易くなる。
【００１３】
かかる吸収性物品集合体であって、前記第１吸収性物品包装体の前記シール部材及び前記第２吸収性物品包装体の前記シール部材の所定位置には、それぞれ前記図柄と異なる共通図柄が設けられていることが望ましい。
【００１４】
このような吸収性物品集合体によれば、各吸収性物品包装体のシール部材に共通図柄を設けることで統一感を持たせることができ、その共通図柄とは異なる図柄が各シール部材にさらに設けられていることから、個々の吸収性物品包装体を識別することもできる。
【００１５】
かかる吸収性物品集合体であって、前記吸収性物品包装体は、互いに交差する上下方向と前後方向とを有し、前記図柄は、前記吸収性物品包装体の上面となる部分に設けられ、前記共通図柄は、前記吸収性物品包装体の前面となる部分に設けられていることが望ましい。
【００１６】
このような吸収性物品集合体によれば、吸収性物品包装体の上面に図柄が設けられているため、複数の包装体を重ねて或いは並べて保管した場合でも、包装体を上面側から見ることによって各包装体の区別がつきやすい。
【００１７】
かかる吸収性物品集合体であって、前記第１吸収性物品包装体に設けられる図柄を第１図柄とし、前記第２吸収性物品包装体に設けられる図柄を第２図柄とすると、前記第１吸収性物品包装体の前記シール部材及び前記第２吸収性物品包装体の前記シール部材の所定位置には、それぞれ前記第１図柄及び前記第２図柄とは異なる共通図柄が設けられていることが望ましい。
【００１８】
このような吸収性物品集合体によれば、各吸収性物品包装体のシール部材に共通図柄を設けることによって統一感を持たせることができ、その共通図柄と異なる第１図柄及び第２図柄がシール部材にさらに設けられていることから、個々の吸収性物品包装体を識別することもできる。
【００１９】
かかる吸収性物品集合体であって、前記吸収性物品包装体は、互いに交差する上下方向と前後方向とを有し、前記第１図柄及び前記第２図柄は、それぞれ、前記吸収性物品包装体の上面と前面との境界を跨ぐように設けられていることが望ましい。
【００２０】
このような吸収性物品集合体によれば、包装体の上面と前面とを跨ぐように第１図柄及び第２図柄を設けることで、複数の包装体を重ねて或いは並べて保管した場合でも、包装体を上面側から見ることによって各包装体の区別がつきやすい。
【００２１】
かかる吸収性物品集合体であって、前記開口部を形成した後に、前記吸収性物品包装体は、前記シール部材によって前記開口部を再封止可能であり、前記吸収性物品包装体は、前記袋部材に本体図柄が設けられており、前記共通図柄は、前記本体図柄と共に一つの図柄を構成することが望ましい。
【００２２】
このような吸収性物品集合体によれば、共通図柄と本体図柄とを合わせて一つの図柄を構成することで、使用者が吸収性物品包装体をシール部材によって再封止する際に位置合わせの目安となる。
【００２３】
かかる吸収性物品集合体であって、前記開口部を形成した後に前記開口部を再封止する場合、前記シール部材は、前記共通図柄と前記本体図柄とが一つの図柄を構成しないように再封止可能であることが望ましい。
【００２４】
このような吸収性物品集合体によれば、使用者は、シール部材を用いて再封止する位置を選択することができ、共通図柄と本体図柄とが一つの図柄を構成しない位置に封止することによって、開封済みの包装体であることを分かりやすくすることもできる。
【００２５】
かかる吸収性物品集合体であって、前記共通図柄と前記本体図柄の境界には、所定の幅の境界線が設けられていることが望ましい。
【００２６】
このような吸収性物品集合体によれば、シール部材を用いて吸収性物品包装体を開封する際に、共通図柄と本体図柄との境界に設けられた境界線が目印となって開封し易くなる。
【００２７】
かかる吸収性物品集合体であって、前記シール部材の表面の外縁には縁取り部が設けられ、前記境界線は、前記縁取り部の一部であることが望ましい。
【００２８】
このような吸収性物品集合体によれば、縁取り部が袋部材とシール部材との境目をより目立たせ、使用者が吸収性物品包装体を開封し易くなる。
【００２９】
また、複数の吸収性物品包装体が、梱包材に梱包された吸収性物品集合体を製造する方法であって、前記複数の吸収性物品包装体は、それぞれ、複数の吸収性物品と、前記複数の吸収性物品を収容する袋部材と、少なくとも一部分が前記袋部材から分離可能に設けられたシール部材を有し、前記袋部材は、開口部を規定する開口規定部を有し、前記シール部材は、前記開口規定部を覆っており、前記シール部材の前記一部分を、前記袋部材から分離することにより前記開口規定部が破断されて前記開口部が形成されるように構成されており、前記複数の吸収性物品包装体のうちの第１吸収性物品包装体の前記シール部材の第１位置に図柄を形成し、前記複数の吸収性物品包装体のうちの第２吸収性物品包装体の前記シール部材の、前記第１位置とは異なる第２位置に前記図柄を形成する、図柄形成工程を有することを特徴とする吸収性物品集合体を製造する方法が明らかとなる。
【００３０】
このような吸収性物品集合体を製造する方法によれば、吸収性物品包装体に設けられたシール部材により開封後に再封止可能な吸収性物品包装体を複数個保管している場合でも、各シール部材の異なる位置に配置された図柄を参照することによって、どの包装体が開封済みであるかが分かり易くなる吸収性物品集合体を製造することができる。
【００３１】
＝＝＝第１実施形態＝＝＝
＜吸収性物品集合体１の基本構成＞
図１は、第１実施形態に係る吸収性物品集合体１の概略斜視図であり、吸収性物品集合体１の一構成例を示している。吸収性物品集合体１は、複数の吸収性物品包装体１０と、複数の吸収性物品包装体１０を梱包する梱包材２（ここでは、例として段ボール箱２）とを有する。段ボール箱２には、一例として、吸収性物品包装体１０が段ボール箱２の左右方向に４列、長手方向に８列並んだ状態で梱包されている。図１に示す段ボール箱２は開封された状態であるが、実際には、段ボール箱２を密閉した状態で吸収性物品集合体１を工場から店舗等に出荷する。
【００３２】
＜吸収性物品包装体１０の基本構成＞
図２Ａは、第１実施形態に係る吸収性物品包装体１０の概略斜視図であり、図２Ｂは、第１実施形態に係る吸収性物品包装体１０を開封した状態の図である。図３は、第１実施形態に係る吸収性物品２０を示す斜視図である。図４は、図２Ａの吸収性物品包装体１０について、シール部材４０を透視した状態について表す概略斜視図である。
【００３３】
吸収性物品包装体１０は、図２Ａ及び図２Ｂに示すように、複数の吸収性物品２０と、複数の吸収性物品２０を収容するための袋部材３０と、シール部材４０とを有している。また、吸収性物品包装体１０は、互いに交差する上下方向、前後方向及び左右方向を有する。上下方向において、吸収性物品２０を取り出す側を「上」とし、その反対側が「下」である。前後方向においても、吸収性物品２０を取り出す側を「前」とし、その反対側を「後」とする。
【００３４】
本実施形態に係る吸収性物品２０として生理用ナプキン（以下「ナプキン２０」という）を例に挙げて説明するが、吸収性物品２０には、生理用ナプキンに限らず、パンティーライナー、又は軽失禁用パッド等も含まれる。
【００３５】
図３に示すように、ナプキン２０は、不図示の吸収性本体が包装シート２１によって包装された個包装体である。ナプキン２０は、製品状態（図３）において、互いに直行する横方向、縦方向及び厚さ方向を有している。本実施形態におけるナプキン２０は、展開状態において吸収性本体及び包装シート２１が厚さ方向に重ねられ、包装シート２１が外側となるように縦方向に折り畳まれている（例えば縦方向に３つ折りにされている）。そして、ナプキン２０の横方向の両端部に、包装シート２１の対向する面同士を縦方向に沿って接合させたサイドシール部２３が形成され、ナプキン２０の開封口はリードテープ２２で留められている。これにより、図３に示されるような個包装体の状態となる。包装シート２１の接合方法は、例えば、ヒートシール、超音波シール、接着剤、これらの組み合わせ等、周知の接合方法を例示できる。
【００３６】
袋部材３０は、図２Ｂに示すように複数のナプキン２０を収容している。袋部材３０において、各ナプキン２０は、ナプキン２０の横方向の両端部にあるサイドシール部２３が袋部材３０の左右方向の端に沿うように挿入される。また、複数のナプキン２０は、袋部材３０の前後方向に並ぶように収容される。その際、各ナプキン２０は、リードテープ２２が留められている面が袋部材３０の後側を向くように挿入される。
【００３７】
また、図４に示すように、吸収性物品包装体１０を最初に開封する前の状態において、袋部材３０は、図２Ｂに示す開口部３１を規定するためのミシン目等の開口規定部３２（以下「ミシン目３２」）を有している。図４においては、便宜的にシール部材４０の範囲を二点鎖線で示し、ミシン目３２（点線部分）の位置を分り易くするために、シール部材４０を透視して示している。また、シール部材４０においては、後述する各図柄の表示も省略している。ミシン目３２は、シール部材４０の外縁よりも内側に位置しているため、ミシン目３２の全体がシール部材４０によって覆われる構成となっている。
【００３８】
シール部材４０は、図４から分かるように、吸収性物品包装体１０の上面の少なくとも一部を覆い、さらに吸収性物品包装体１０の前面の少なくとも一部を覆うように設けられている。すなわち、シール部材４０は、吸収性物品包装体１０の上面と前面の境界を跨ぐように設けられる。シール部材４０には、つまみ部４１が設けられており、使用者は、つまみ部４１を用いることで吸収性物品包装体１０を開封及び再封止しやすくなる。また、シール部材４０には、厚さ方向における袋部材３０側の面に粘着層があり、図２Ａに示すように、シール部材４０は袋部材３０に貼着されている。尚、シール部材４０の粘着層は、袋部材３０に対してシール部材４０の貼着及び剥離を複数回繰り返すことが可能な粘着力を有している。
【００３９】
次に、吸収性物品包装体１０の開口部３１について説明する。まず、吸収性物品包装体１０の初回開封時において、使用者は、シール部材４０のつまみ部４１をつまみ、袋部材３０の上側に向かってシール部材４０を部分的に引き剥がすようにする。例えば、図４においては、シール部材４０が上下方向の下側から上側に向かって徐々に剥がされる。このとき、シール部材４０の引き剥がしが図４及び図２Ｂに示すミシン目３２上の点Ａに達するまでは、シール部材４０のみが袋部材３０から分離していく。そして、シール部材４０の引き剥がしが点Ａに到達すると、ミシン目３２の破断が始まり、袋部材３０のうちミシン目３２によって囲まれた内側の部分が、シール部材４０に付着したまま一緒に袋部材３０から分離していく。
【００４０】
その結果、袋部材３０の前面及び上面において、破断したミシン目３２が開口部３１となり、使用者は、開口部３１からナプキン２０を取り出すことができる。また、吸収性物品包装体１０を一度開封した後も、シール部材４０によって開口部３１を覆い、粘着層を介してシール部材４０を袋部材３０に貼着させることにより、開口部３１を再封止することができる。これにより、開封及び再封止を繰り返し行うことが可能となり、包装体１０の開封後もナプキン２０を清潔に保つことができる。
【００４１】
＜共通図柄５０及び図柄５１の構成＞
次に、シール部材４０に設けられている図柄について説明する。シール部材４０は、つまみ部４１もしくはその近辺に図２Ａに示すような共通図柄５０を有している。共通図柄５０は、複数の吸収性物品包装体１０の各々に貼着されるシール部材４０において、同一の位置に設けられた同一の図柄である。このような共通図柄５０によって各吸収性物品包装体１０に統一感を与えることができる一方で、仮に各吸収性物品包装体１０が全て同じ図柄のみで構成される場合、それぞれの吸収性物品包装体１０の見分けがつきにくいことが多い。その結果、複数の吸収性物品包装体１０を保管している場合に、どの包袋体１０が既に開封済みの包装体１０であるのか、使用者がすぐに識別できない虞がある。
【００４２】
これに対し、本実施形態では、図２Ａに示すように、シール部材４０が共通図柄５０とは異なる図柄５１を有している。そして、図柄５１は、各シール部材４０においてそれぞれ異なる位置に配置されている。同一の位置に配置された共通図柄５０と、共通図柄５０とは異なる位置に配置された図柄５１を設けることで、個々の吸収性物品包装体１０を識別できるようになる。
【００４３】
以下、図柄５１の配置について説明する。ここでは、ある吸収性物品包装体１０（第１吸収性物品包装体１０Ａとする）に貼着されているシール部材４０Ａと、別の吸収性物品包装体１０（第２吸収性物品包装体１０Ｂとする）に貼着されているシール部材４０Ｂとを例に挙げる。図５Ａは、第１実施形態に係るシール部材４０Ａの図柄５１Ａを説明する図であり、図５Ｂは、第１実施形態に係るシール部材４０Ｂの図柄５１Ｂを説明する図である。図６は、引き出しに収納されている、第１実施形態に係る複数の吸収性物品包袋体１０Ａ〜１０Ｅを示している図である。
【００４４】
第１吸収性物品包装体１０Ａのシール部材４０Ａにおける図柄５１Ａは、図５Ａに示すようにシール部材４０Ａの左上部分（第１位置）に設けられている。一方、第２吸収性物品包装体１０Ｂのシール部材４０Ｂにおける図柄５１Ｂは、図５Ｂに示すようにシール部材４０Ｂの右上部分（第２位置）に設けられている。図柄５１の位置が吸収性物品包装体１０毎に異なることによって、使用者は、包装体１０を複数個保管している場合でも、図柄５１の位置を目印にすることでどの吸収性物品包装体１０が使用中の包装体１０であるのか認識し易くなる。また、保管時だけでなく、使用者が店舗等で商品として陳列された吸収性物品包装体１０を購入する際も、自分の好みに合わせて商品を選択することができ、購入の楽しみを提供できる。なお、各図柄５１の配置は、上述の第１位置及び第２位置に限らず、第１位置及び第２位置とは異なる別の位置も可能である。
【００４５】
また、図２Ａ、図５Ａ及び図５Ｂに示すように、図柄５１、図柄５１Ａ及び図柄５１Ｂは、それぞれ吸収性物品包装体１０（１０Ａ、１０Ｂ）の上面となる部分に設けられており、共通図柄５０は、各吸収性物品包装体１０の前面となる部分に設けられている。各図柄５１を各吸収性物品包装体１０の上面となる部分に設けることで、図６のように複数の吸収性物品包装体１０Ａ〜１０Ｅを上面が同じ方向を向くように並べて保管した場合でも、吸収性物品包装体１０Ａ〜１０Ｅを上面側から見ることによって各図柄５１Ａ〜５１Ｅの位置の違いを認識できる。すなわち、各図柄５１Ａ〜５１Ｅを参照することで吸収性物品包装体１０Ａ〜１０Ｅの区別がつきやすくなり、使用者は、どの吸収性物品包装体１０が開封済みのものであるのか等の判断がし易くなる。
【００４６】
さらに、袋部材３０の前面には、図２Ｂに示すような本体図柄３３が設けられている。本体図柄３３は、図２Ａに示すように、吸収性物品包装体１０の未開封時、及び使用者がシール部材４０を用いて吸収性物品包装体１０を再封止したときに、共通図柄５０と共に一つの図柄を構成する。すなわち、使用者がシール部材４０を用いて開口部３１を再封止する際には、共通図柄５０と本体図柄３３とを合わせて一つの図柄となるようにシール部材４０のつまみ部４１を袋部材３０に合わせればよいため、封止の位置合わせの目安となる。
【００４７】
また、開口部３１をシール部材４０によって再封止する場合、共通図柄５０と本体図柄３３とが一つの図柄を構成しないように再封止することも可能である。図７は、第１実施形態に係る吸収性物品包装体１０のシール部材４０を異なる位置に留めた状態の一例を説明する図である。同図７では、例えば、吸収性物品包装体１０に収容されているナプキン２０の数が約半分程に減ってきた場合に、シール部材４０を吸収性物品包装体１０の上面側よりも前面側に多く被せるようにして再封止した状態を示している。このように、使用者は、共通図柄５０と本体図柄３３とを合わせて一つの図柄を構成する位置で再封止できるだけでなく、吸収性物品包装体１０内のナプキン２０の数が少なくなるにつれ、一つの図柄を構成する位置で再封止しづらくなっても、より袋部材３０を圧縮するように好みの位置で再封止することもできる。また、共通図柄５０と本体図柄３３とが一つの図柄を構成しない位置で再封止することにより、他の吸収性物品包装体１０との外観の違いを、使用者自身で作り出すことが可能となる。したがって、複数の吸収性物品包装体１０を保管しているような場合であっても、開封済みの吸収性物品包装体１０の外観上の違いを容易に視認できるようになる。
【００４８】
尚、図７に示した再封止位置は、あくまでも共通図柄５０と本体図柄３３とが一つの図柄を構成しない位置の一例であり、使用者は、シール部材４０のつまみ部４１を必ずしも袋部材３０の下側に向けて留めなくてもよい。例えば、シール部材４０のつまみ部４１を袋部材３０の左右方向において左又は右にずらすように止めてもよい。故意にずらして止めることにより、袋部材３０の上部の形状が他の吸収性物品包装体１０と異なる形状になり、使用者にとって、開封済みの吸収性物品包装体１０の目印ともなり得る。
【００４９】
さらに、図２Ａ、図５Ａ及び図５Ｂに示すように、共通図柄５０と本体図柄３３との境界には、所定幅の境界線Ｘが設けられている。共通図柄５０と本体図柄３３とが一つの図柄を構成していることから、もし図柄のみの構成であった場合、シール部材４０のつまみ部４１と袋部材３０との境目が分かりにくくなってしまうことがある。このような場合には、共通図柄５０と本体図柄３３との境界に所定幅の境界線Ｘを設けることで、開封時に、境界線Ｘを目印とすることができる。これにより、使用者は、容易につまみ部４１を視認でき、開封し易くなる。
【００５０】
さらに、シール部材４０は、図２Ａ，図５Ａ及び図５Ｂに示すように、表面の外縁に沿って縁取り部４２が設けられている。また、境界線Ｘは、縁取り部４２の一部である。縁取り部４２により、袋部材３０とシール部材４０との境目がより目立つこととなり、シール部材４０の位置を容易に視認できて、使用者は吸収性物品包装体１０を開封し易くなる。
【００５１】
ここで、本実施形態の吸収性物品集合体１の製造工程において、吸収性物品包装体１０を形成する方法について簡単に説明する。まず、袋部材３０に貼着するシール部材４０を形成する。シール部材４０を形成するためには、共通図柄に対して図柄５１の位置がそれぞれ異なる複数のパターンのシール部材４０を用意する。例えば、図５Ａに示すように、シール部材４０Ａにおいては、シール部材４０Ａの左上部分（第１位置）に図柄５１Ａを形成する。さらに、図５Ｂに示すように、シール部材４０Ｂにおいては、シール部材４０Ｂの右上部分（第２位置）に図柄５１Ｂを形成する。同様に、各シール部材４０において、第１及び第２位置とは異なる第３位置、第４位置・・・に図柄５１を形成していく。
【００５２】
次に、共通図柄５０と、第１位置に図柄５１Ａとが印字されたシール部材４０Ａは、ミシン目３２を覆うように第１吸収性物品包装体１０Ａの袋部材３０の所定位置に貼着される。共通図柄５０と、第２位置に図柄５１Ｂが印字されたシール部材４０Ｂも、ミシン目３２を覆うように第２吸収性物品包装体１０Ｂの袋部材３０の所定位置に貼着される。同様に、第３位置、第４位置・・・に図柄５１が印字された各シール部材４０もそれぞれ袋部材３０に貼着される。
【００５３】
そして、包装シート２１によって包装された個包装体であるナプキン２０（図３参照）を袋部材３０に複数個挿入する。その際、ナプキン２０のサイドシール部２３が袋部材３０の左右方向の端に沿うようにし、さらに、リードテープ２２を貼着させた面が袋部材３０の後側を向くように挿入する。また、複数のナプキン２０は、袋部材３０の前後方向に並ぶように収容される。ナプキン２０を挿入後、袋部材３０を密閉するために袋部材３０の上部を接合する。
【００５４】
密閉された吸収性物品包装体１０は、図１に示すように、吸収性物品包装体１０の上面が上側にくるように、段ボール箱２の左右方向に４列、長手方向に８列並んだ状態で梱包される。段ボール箱２に梱包する吸収性物品包装体１０の個数や並べ方は、段ボール箱２の形状によって適宜選択される。
【００５５】
上述のような吸収性物品集合体を製造することにより、店舗で商品としての吸収性物品包装体１０が並べられた際に、消費者は好みのものを選択でき、また、複数個購入して保管している場合にも、各吸収性物品包装体１０のシール部材４０の異なる位置に配置された図柄５１を目印にして、どの包装体１０が開封済みであるかを分かり易くすることができる。
【００５６】
＝＝＝第２実施形態＝＝＝
図８は、第２実施形態に係る吸収性物品集合体１の概略斜視図であり、図９は、第２実施形態に係る吸収性物品包装体１０の概略斜視図である。図１０Ａは、第２実施形態に係るシール部材４０Ａの図柄５２Ａを説明する図であり、図１０Ｂは、第２実施形態に係るシール部材４０Ｂの図柄５２Ｂを説明する図である。図１１は、引き出しに収納されている、第２実施形態に係る複数の吸収性物品包袋体１０Ａ〜１０Ｅを示す図である。
【００５７】
第１実施形態では、各シール部材４０において、同一図柄である図柄５１をそれぞれ異なる位置に配置することにより、個々の吸収性物品包装体１０を識別可能にしていた。この点につき、この第２実施形態では、図８、図１０Ａ及び図１０Ｂに示すように、図柄５２は、各吸収性物品包装体においてその図柄の形態や色が異なっていてもよく、また、各吸収性物品包装体において同様の位置に配置されている。主にこの点で上述の第１実施形態と相違し、それ以外の点は概ね同様である。そのため、以下では、この相違点について主に説明し、同様の構成については、同じ符号を付して、その説明については省略する。
【００５８】
第２実施形態において、シール部材４０は、図９に示すように図柄５２を有している。図柄５２は、吸収性物品包装体１０毎に異なる形態及び／又は異なる色であってもよく、以下に、図１０Ａ及び図１０Ｂを参照して、具体的に説明する。図１０Ａに示す図柄５２Ａ（第１図柄５２Ａ）は、ある吸収性物品包装体１０（第１吸収性物品包装体１０Ａとする）に貼着されているシール部材４０Ａに設けられた生物若しくはキャラクターの図柄の一例である。図１０Ｂに示す図柄５２Ｂ（第２図柄５２Ｂ）は、別の吸収性物品包装体１０（第２吸収性物品包装体１０Ｂとする）に貼着されているシール部材４０Ｂに設けられた、図柄５２Ａとは異なる形態かつ異なる色の図柄の一例である。図１０Ｂに示した図柄５２Ｂは、図柄５２Ａとは形態且つ色が異なっているが、図柄５２Ｂは、図柄５２Ａと同じ形態且つ異なる色の図柄であってもよい。また、図柄５２Ｂは、図柄５２Ａと異なる形態であるが、色は、図柄５２Ａと同じ色を有していてもよい。
【００５９】
このように、各吸収性物品包装体１０が、図柄５２Ａ及び図柄５２Ｂのような形態又は色、若しくはその両方が異なる図柄５２をそれぞれ有することによって、使用者は、図柄５２を参照して個々の吸収性物品包装体１０を識別できるようになる。故に、再封止可能な吸収性物品包装体１０を複数個保管している場合でも、どの包袋体１０が既に開封済みの包装体１０であるのか、使用者がすぐに区別し易くなる。
【００６０】
さらに、図９、図１０Ａ及び図１０Ｂに示すように、シール部材４０は、つまみ部４１もしくはその近辺に共通図柄５０を有している。図１０Ａのシール部材４０Ａと図１０Ｂのシール部材４０Ｂとを用いて第２実施形態における共通図柄５０を説明すると、共通図柄５０は、第１図柄５２Ａ及び第２図柄５２Ｂとは異なる図柄として設けられている。また、共通図柄５０は、第１図柄５２Ａ及び第２図柄５２Ｂ等のように図柄５２と接していたり、重なっていたりすることも考えられるが、本実施形態の共通図柄５０は、各シール部材４０に設けられる図柄のうち、各図柄５２を除いても共通している部分をいう。そのような共通図柄５０によって各吸収性物品包装体１０に統一感を与えることができ、さらに共通図柄５０とは異なる図柄５２（例えば、第１吸収性物品包装体における第１図柄５２Ａや第２吸収性物品包装体における第２図柄５２Ｂ）が各吸収性物品包装体１０に設けられることで、使用者が個々の吸収性物品包装体を識別することもできる。
【００６１】
また、図９、図１０Ａ及び図１０Ｂに示すように、第１図柄５２Ａ及び第２図柄５２Ｂは、それぞれ吸収性物品包装体１０の上面と前面との境界を跨ぐように、すなわち、上面及び前面の二面に掛かるように設けられている。そうすることで、図８及び図１１に示すように、複数の吸収性物品包装体１０を並べて保管した場合でも、使用者が吸収性物品包装体１０を上面側から見ることによって各図柄５２を視認でき、個々の吸収性物品包装体１０の区別がつき易くなる。
【００６２】
図１１に示すように、第２実施形態に係る複数の吸収性物品包袋体１０Ａ〜１０Ｅをそれぞれの上面が同じ方向を向くように並べて保管した場合、各図柄５２Ａ〜５２Ｅが各吸収性物品包装体１０の上面となる部分に設けられていることから、使用者は各包装体１０Ａ〜１０Ｅの上面側から見ることによって各図柄５２Ａ〜５２Ｅの違いを認識できる。すなわち、各図柄５２Ａ〜５２Ｅを参照することで吸収性物品包装体１０Ａ〜１０Ｅの区別がつきやすくなり、使用者は、どの吸収性物品包装体１０が開封済みのものであるのか等の判断がし易くなる。同様に、図８に示すように、第２実施形態に係る複数の吸収性物品包装体１０を段ボール箱２に梱包した状態においても、個々の吸収性物品包装体１０を認識することができる。
＝＝＝その他の実施の形態＝＝＝
【００６３】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００６４】
上述の実施形態では、梱包材２として段ボール箱２を例として説明したが、梱包材２は、工場から出荷される際の形態に合わせて適宜選択可能であり、例えば、ビニール袋や、ポリエチレン（ＰＥ）、ポリプロピレン（ＰＰ）等のケースなどでもよい。
【００６５】
上述の実施形態では、各シール部材４０において、共通図柄５０の他に図柄５１を一つずつ設けていたが、図柄５１の数はこれに限られない。例えば、図柄５１は、複数設けられてもよい。また、上述の実施形態における図柄５１は、各シール部材４０において同一のデザインであったが、シール部材４０毎に異なるデザインの図柄５１を設けてもよい。
【００６６】
また、上述の実施形態の図柄５１は、図５Ａ及び図５Ｂに示すように、第１吸収性物品包装体１０Ａにおいては第１位置に、第２吸収性物品包装体１０Ｂにおいては第２位置に設けられている。ここで、図１の段ボール箱２内には３個以上の吸収性物品包装体１０が梱包されているところ、各図柄５１の位置は、全て異なっていてもよい。また、図１の複数の吸収性物品包装体１０のうち半数に対しては第１位置に、残りの半数に対しては第２位置に図柄５１を設けてもよい。或いは、図１の複数の吸収性物品包装体１０のうち、ある所定数に対しては第１位置に、更に別の所定数に対しては第２位置に、残りの包装体１０には第３位置に図柄５１を設ける等でもよく、様々なパターンが考えられる。
【００６７】
また、上述の実施形態の図柄５２は、図１０Ａ及び図１０Ｂに示すように、同様の生物の異なる形態且つ異なる色を例示したが、図柄５２は、各シール部材４０において、例えばそれぞれ異なる生物若しくはキャラターの図柄であってもよい。また、上述の実施形態における図柄５２は、各シール部材４０に一つずつ設けていたが、図柄５２の数はこれに限らず、複数設けてもよい。
【００６８】
さらに、上述の実施形態の図柄５２は、共通図柄５０と接して或いは重なって設けられていたが、吸収性物品包装体１０の上面となる部分に設けられる限り、共通図柄５０から離れて配置されてもよい。
【００６９】
また、上述の実施形態では、袋部材３０の開口部３１を規定する開口規定部３２において、ミシン目を例に挙げたが、何等これに限らない。例えば、開口規定部３２は、袋部材３０の外側から内側に向かって貫通しないように形成された切り込みでもよい。すなわち、使用者が初回開封時にシール部材４０を引き剥がそうとするときに、シール部材４０の粘着力によって破断される程度の脆弱な部分を開口規定部３２として袋部材３０にあらかじめ設けておけばよい。
【符号の説明】
【００７０】
１  吸収性物品集合体、
２  段ボール箱（梱包材）、
１０、１０Ａ〜１０Ｅ  吸収性物品包装体
２０  生理用ナプキン（吸収性物品）
２１  包装シート
２２  リードテープ
２３  サイドシール部
３０  袋部材
３１  開口部
３２  ミシン目（開口規定部）
３３  本体図柄
４０、４０Ａ、４０Ｂ  シール部材
４１  つまみ部
４２  縁取り部
５０  共通図柄
５１、５１Ａ〜５１Ｅ  図柄
５２、５２Ａ〜５２Ｅ  図柄
Ｘ  境界線
【図１】
2020059544.tif 000003
【図２Ａ】
2020059544.tif 000004
【図２Ｂ】
2020059544.tif 000005
【図３】
2020059544.tif 000006
【図４】
2020059544.tif 000007
【図５】
2020059544.tif 000008
【図６】
2020059544.tif 000009
【図７】
2020059544.tif 000010
【図８】
2020059544.tif 000011
【図９】
2020059544.tif 000012
【図１０】
2020059544.tif 000013
【図１１】
2020059544.tif 000014